(57)【要約】【課題】地盤面を拡張することができる岸壁構造を提供する。【解決手段】岸壁構造１００は、矢板１と、矢板１の上部から海Ｃ２側に張出した張出し部４０と、張出し部４０と矢板１と連結する連結部５０と、を備えている。連結部５０は、張出し部４０の海Ｃ２側の端部と矢板１とを連結するとともに、鉛直面に対して傾斜するように延びている。連結部５０は、一端部が張出し部４０に連結され、他端部が矢板１に連結された鉄骨であることを特徴とする。【選択図】図１
2020002591.tif 000002
【特許請求の範囲】
【請求項１】
矢板と、
該矢板の上部から海側に張出した張出し部と、
該張出し部と前記矢板と連結する連結部と、を備えることを特徴とする岸壁構造。
【請求項２】
前記連結部は、前記張出し部の前記海側の端部と前記矢板とを連結していることを特徴とする請求項１に記載の岸壁構造。
【請求項３】
前記連結部は、一端部が前記張出し部に連結され、他端部が前記矢板に連結された鉄骨であることを特徴とする請求項１または２に記載の岸壁構造。
【請求項４】
前記張出し部は、
前記連結部と前記矢板とに連結された梁材と、
該梁材上に設けられた地盤板と、を有することを特徴とする請求項１から３のいずれか一項に記載の岸壁構造。
【請求項５】
前記矢板は、連結材により控え工と連結され、
前記矢板における前記連結部との連結位置は、前記連結材との連結位置よりも下方に配置されている請求項１から４のいずれか一項に記載の岸壁構造。
【発明の詳細な説明】
【技術分野】
【０００１】
本発明は、岸壁構造に関するものである。
【背景技術】
【０００２】
従来から、岸壁として、水底地盤に鋼管製や鋼板製の矢板を打ち込み、矢板よりも陸側に控え工を設けて、矢板と控え工とをタイロッド等の連結材で連結して、矢板よりも陸側に、土砂で埋め立てコンクリートやアスファルトで舗装して地盤を形成する工法が知られている（例えば、下記の特許文献１参照）。
【先行技術文献】
【特許文献】
【０００３】
【特許文献１】特開平６−３４６４１７号公報
【発明の概要】
【発明が解決しようとする課題】
【０００４】
しかしながら、上記の岸壁において、地盤は矢板よりも陸側の部分のみであり、その広さに制限があったため、車両の通行や船舶からの乗り降り等が可能なスペース（地盤面）のさらなる拡張が望まれている。
【０００５】
そこで、本発明は、上記事情に鑑みてなされたものであり、地盤面を拡張することができる岸壁構造を提供する。
【課題を解決するための手段】
【０００６】
上記目的を達成するために、本発明は以下の手段を採用している。
すなわち、本発明に係る岸壁構造は、矢板と、該矢板の上部から海側に張出した張出し部と、該張出し部と前記矢板と連結する連結部と、を備えることを特徴とする。
【０００７】
このように構成された岸壁構造では、矢板の上部から海側に張出すように張出し部が設けられている。張出し部は矢板と連結された連結部で支持されているため、地盤として使用可能な耐力を有している。よって、張出し部を矢板よりも陸側の地盤と同様に使用でき、地盤面を拡張することができる。
【０００８】
また、前記連結部は、前記張出し部の前記海側の端部と前記矢板とを連結していることが好ましい。
【０００９】
このように構成された岸壁構造では、連結部は張出し部の海側の端部と矢板とを連結する。よって、張出し部の海側の端部が連結部で支持され、張出し部の剛性が高められる。
【００１０】
また、前記連結部は、一端部が前記張出し部に連結され、他端部が前記矢板に連結された鉄骨であってもよい。
【００１１】
このように構成された岸壁構造では、連結部は、一端部が張出し部に連結され、他端部が矢板に連結された鉄骨である。よって、連結部を容易に施工することができる。
【００１２】
また、前記張出し部は、前記連結部と前記矢板とに連結された梁材と、該梁材上に設けられた地盤板と、を有していてもよい。
【００１３】
このように構成された岸壁構造では、連結部と矢板とに跨るように梁材が設けられ、梁材上に地盤板を設けている。よって、地盤板が梁材に支持され、張出し部の強度が確保される。
【００１４】
また、前記矢板は、連結材により控え工と連結され、前記矢板における前記連結部との連結位置は、前記連結材との連結位置よりも下方に配置されていることが好ましい。
【００１５】
このように構成された岸壁構造では、張出し部の連結部と矢板との連結位置及び控え工の連結材と矢板との連結位置が支点となることにより、矢板に発生する曲げモーメントを減少させることができる。
【発明の効果】
【００１６】
本発明に係る岸壁構造によれば、地盤面を拡張することができる。
【図面の簡単な説明】
【００１７】
【図１】本発明の一実施形態に係る岸壁構造を説明する図である。
【図２】本発明の一実施形態に係る岸壁構造の要部を説明する図である。
【図３】図２のＡ−Ａ線断面図である。
【図４】図２のＢ−Ｂ線断面図である。
【図５】（ａ）本発明の一実施形態に係る岸壁構造における試算例の曲げモーメント図であり、（ｂ）比較例として、張出し構造が設けられていない構造の試算例の曲げモーメント図である。
【発明を実施するための形態】
【００１８】
本発明の一実施形態に係る岸壁構造について、図面を用いて説明する。
図１は、本発明の一実施形態に係る岸壁構造を説明する図である。
図１に示すように、本実施形態に係る岸壁構造１００は、矢板１と、控え工２と、連結材３と、張出し構造４と、を備えている。
【００１９】
図２は、岸壁構造１００の要部を説明する図である。図３は、図２のＡ−Ａ線断面図である。図４は、図２のＢ−Ｂ線断面図である。図２から図４において、控え工２及び連結材３の図示を省略している。
図２から図４に示すように、矢板１は、複数の鋼管矢板１０と、頭部コンクリート１６と、を有している。
【００２０】
複数の鋼管矢板１０は、所定の方向（以下、「鋼管矢板１０の配列方向（図３等に示すＸ方向）」と称することがある。）に沿って隣接配置されている。鋼管矢板１０は、水底地盤Ｇ２（図１参照）に打ち込まれている。
【００２１】
図４に示すように、各鋼管矢板１０は、上下方向に延びる鋼管矢板本管１１と、鋼管矢板本管１１の外周面に上下方向に沿って接合された２つの継手鋼管１２と、を有している。各継手鋼管１２には、周方向の一部にスリット１２ｓが設けられている。一方の鋼管矢板１０の継手鋼管１２のスリット１２ｓに、隣接する鋼管矢板１０の継手鋼管１２の端部が挿入されて、継手鋼管１２どうしが連結されている。なお、鋼管矢板１０に替えて、鋼板製の矢板を採用することもできる
【００２２】
図２及び図３に示すように、頭部コンクリート１６は、隣接する鋼管矢板１０の上部どうしを連結するように、コンクリートで構成されている。頭部コンクリート１６は、複数の鋼管矢板１０の配列Ｘ方向に沿って延びている。
【００２３】
図１に示すように、控え工（控え材）２は、鋼管矢板１０よりも陸側（図１等に示すＣ１側）に間隔を有して配置されている。控え工２は、鋼管矢板１０の配列Ｘ方向に沿って設けられている。控え工２として、例えば鋼管杭等が採用される。
【００２４】
連結材３の一端部３ａは矢板１の鋼管矢板本管１１の上部に連結され、他端部３ｂは控え工２の上部に連結されている。連結材３として、例えばタイロッドやタイワイヤ等が採用される。控え工２及び連結材３は、地盤Ｇ１中に埋設されている。
【００２５】
張出し構造４は、矢板１の上部から海側（図１等に示すＣ２側）に張出している。張出し構造４は、張出し部４０と、支持部材（連結部）５０と、を有している。
【００２６】
図２から図４に示すように、張出し部４０は、張出し梁（梁材）４１と、横梁４２と、地盤板４３と、を有している。
【００２７】
図２に示すように、張出し梁４１は、矢板１の上部に接合（剛結）されている。張出し梁４１の一端部４１ａは、頭部コンクリート１６にアンカーボルト４１ｘ等で連結されている。張出し梁４１の他端部４１ｂ側は、海Ｃ２側に張出すように配置されている。図３に示すように、張出し梁４１は、鋼管矢板１０の配列Ｘ方向に間隔を有して、複数配置されている。張出し梁４１として、例えばＨ鋼等の鉄骨が採用される。
【００２８】
隣り合う張出し梁４１の端部４１ｂどうしは、横梁４２で連結されている。横梁４２として、例えばＨ鋼等の鉄骨が採用される。
【００２９】
図２に示すように、地盤板４３は、張出し梁４１及び横梁４２（図３参照。以下同じ。）上に設置されている。地盤板４３は、張出し梁４１の延在方向（図２等に示すＹ方向）及び張出し梁４１の配列Ｘ方向にわたって配置されている。地盤板４３として、例えばコンクリート板や鋼製板等が採用される。
【００３０】
支持部材５０は、海Ｃ２側に向かうにしたがって次第に上方に向かうように、鉛直面に対して傾斜して配置されている。支持部材５０は、張出し梁４１の端部４１ｂと、矢板１の鋼管矢板本管１１とを連結している。支持部材５０の一端部５０ａは、張出し梁４１の端部４１ｂとボルトや溶接（不図示）等で接合されている。支持部材５０の他端部５０ｂは、鋼管矢板本管１１と溶接等で接合されている。
【００３１】
図１に示すように、支持部材５０の他端部５０ｂは、連結材３の一端部３ａよりも下方に配置されている。
【００３２】
図４に示すように、支持部材５０は、鋼管矢板１０の配列Ｘ方向に間隔を有して複数配置されている。支持部材５０として、例えばＨ鋼等の鉄骨が採用される。
上記の張出し構造４の張出し長さは、例えば数ｍ程度である。
【００３３】
図５（ａ）は、上記の岸壁構造１００における試算例の曲げモーメント図である。また、比較例として、図５（ｂ）に、張出し構造４が設けられていない構造（従来構造）の試算例の曲げモーメント図を示す。
図５（ａ），（ｂ）に矢印で示すように、上記の岸壁構造１００における試算例では、支持部材５０の反力により、鋼管矢板１０の発生曲げモーメントが、比較例の従来構造（図５（ｂ））よりも減少していることが分かる。
【００３４】
このように構成された岸壁構造１００では、矢板１の上部から海Ｃ２側に張出すように張出し部４０が設けられている。張出し部４０は矢板１と連結された支持部材５０で支持されているため、地盤Ｇ１として使用可能な耐力を有している。よって、張出し部４０を矢板１よりも陸Ｃ１側の地盤Ｇ１と同様に使用でき、地盤面を張出し部４０の上面４０ｕ（図１参照）まで拡張することができる。
【００３５】
また、支持部材５０は、張出し部４０の海Ｃ２側の端部４１ｂと矢板１とを連結する。よって、張出し部４０の端部４１ｂが支持部材５０で支持され、張出し部４０の剛性が高められる。
【００３６】
また、支持部材５０は、端部５０ａが張出し部４０に連結され、他端部５０ｂが矢板１に連結された鉄骨である。よって、支持部材５０を容易に施工することができる。
【００３７】
また、支持部材５０と矢板１とに跨るように張出し梁４１が設けられ、張出し梁４１上に地盤板４３を設けている。よって、地盤板４３が張出し梁４１で支持され、張出し部４０の強度が確保される。
【００３８】
また、張出し部４０の支持部材５０と矢板１との連結位置（５０ｂ）及び控え工２の連結材３と矢板１との連結位置（３ａ）が支点となることにより、矢板１に発生する曲げモーメントを減少させることができる。
【００３９】
張出し部４０を支持する支持部材５０は、矢板１に連結される構成である。よって、張出し部４０を支持するように杭等を設けて、杭を海底地盤Ｇ２に埋め込む構成とするよりも、施工手間がかからず、施工性が良い。
【００４０】
なお、上述した実施の形態において示した各構成部材の諸形状や組み合わせ等は一例であって、本発明の主旨から逸脱しない範囲において設計要求等に基づき種々変更可能である。
【００４１】
例えば、上記に示す実施形態では、支持部材５０は鉛直面に対して傾斜するように設けられているが、本発明はこれに限られず、連結部が、矢板から海側に水平に延びてから、上方に延びるように、鋼管矢板の配列Ｘ方向に直交する断面（図１に示す断面）でＬ字状に構成されていてもよい。
【００４２】
また、上記に示す実施形態では、張出し部４０は張出し梁４１、横梁４２及び頭部コンクリート１６で囲まれた四方枠の上に、地盤板４３が設置される構成であるが、本発明はこれに限られない。例えば、張出し梁４１、横梁４２及び頭部コンクリート１６で囲まれた四方枠の上に、鉄板等を設置して、その上にコンクリートを打設してもよい。この場合には、打設するコンクリートは、張出し部の上のみならず、地盤Ｇ１の上部にも連続で打設してもよい。
【符号の説明】
【００４３】
１…矢板
２…控え工
３…連結材
４…張出し構造
１０…鋼管矢板
１１…鋼管矢板本管
１２…継手鋼管
１６…頭部コンクリート
４０…張出し部
４１…張出し梁（梁材）
４２…横梁
４３…地盤板
５０…支持部材（連結部）
１００…岸壁構造
【図１】
2020002591.tif 000003
【図２】
2020002591.tif 000004
【図３】
2020002591.tif 000005
【図４】
2020002591.tif 000006
【図５】
2020002591.tif 000007